(57)【要約】【課題】従来のおしぼりの洗浄殺菌方法では、通常の汚れを落とし、殺菌するには十分である。しかし、おしぼりの汚れであっても、例えば、テーブル、又はコンロ、天板等を、拭取った頑固な汚れの場合には、確実に落とすことは、困難視される。殊に、この頑固な汚れが、おしぼりの隅及び／又は縫目に付着した、汚れを落とすには、充分とは考えられない。【構成】本発明は、おしぼりの洗浄殺菌方法であって、１）次亜塩素酸ソーダを添加した水で、略３分間、洗浄する。２）非イオン系洗剤を添加した温水で、略１０分間、洗浄するが、この温水は、略６０℃とする。３）水で、略３分間、すずきをする。４）オゾンと塩化マグネシウムを添加した水で、略３分間、すずきをする。５）温風乾燥する。構造である。【選択図】図１−１
2010022606.tif 000002
【特許請求の範囲】
【請求項１】
おしぼりの洗浄殺菌方法は、次の工程で、構成する。
１）  次亜塩素酸ソーダを添加した水で、略３分間、洗浄する。
２）  非イオン系洗剤を添加した温水で、略１０分間、洗浄するが、この温水は、略６０℃とする。
３）  水で、略３分間、すずきをする。
４）  オゾンと塩化マグネシウムを添加した水で、略３分間、すずきをする。
５）  温風乾燥する。
【請求項２】
請求項１に記載のおしぼりの洗浄殺菌方法であって、前記工程における配合比を、下記のように構成する。
１）  前記次亜塩素酸ソーダを添加した水は、４５０ｌ（リットル）の水に５００ｃｃの次亜塩素酸ソーダを添加する。
２）  非イオン系洗剤を添加した温水は、４５０ｌ（リットル）の水に５００ｃｃの非イオン系洗剤を添加する。
３）  オゾンと塩化マグネシウムを添加した水は、水５００ｃｃの水にオゾン７５ｃｃと塩化マグネシウム７５ｃｃを添加する。
【請求項３】
おしぼりの洗浄殺菌方法は、次の工程で、構成する。
１）  次亜塩素酸ソーダを添加した水で、略３分間、洗浄する。
２）  非イオン系洗剤を添加した温水で、略１０分間、洗浄するが、この温水は、略６０℃とする。
３）  水で、略３分間、すずきをする。
４）  オゾンと塩化マグネシウムを、噴霧する。
５）  温風乾燥する。
【請求項４】
請求項３に記載のおしぼりの洗浄殺菌方法であって、前記工程における配合比を、下記のように構成する。
１）  前記次亜塩素酸ソーダを添加した水は、４５０ｌ（リットル）の水に５００ｃｃの次亜塩素酸ソーダを添加する。
２）  非イオン系洗剤を添加した温水は、４５０ｌ（リットル）の水に５００ｃｃの非イオン系洗剤を添加する。
３）  オゾンと塩化マグネシウムを添加した水は、水５００ｃｃの水にオゾン７５ｃｃと塩化マグネシウム７５ｃｃを混合する。
【請求項５】
請求項３又は請求項４に記載のおしぼりの洗浄殺菌方法であって、
前記噴霧は、コンベアで、おしぼりを搬送中に行なうことを特徴としたおしぼりの洗浄殺菌方法。
【発明の詳細な説明】
【技術分野】
【０００１】
本発明は、おしぼりの洗浄殺菌方法に関する。
【背景技術】
【０００２】
従来、おしぼりの洗浄殺菌方法としては、次亜塩素ソーダと、強アルカリ性水を利用して、洗浄殺菌する方法（特許第３１６３０４１号の「洗浄おしぼり及びおしぼり用除菌洗浄装置」［文献１］）又は水性光触媒機能体塗料に浸漬する方法（特開２００１−２５９５４６の「おしぼり、およびその洗浄方法」［文献２］）、或いは、強アルカリ性機能水で洗浄する方法（特開平１０−３３６４２の「貸しおしぼりの洗浄方法」［文献３］）が挙げられる。しかし、何れも、従来の薬液（薬剤）を利用した、洗浄殺菌方法であり、おしぼりに付着した、テーブル、又はコンロ、天板等を、拭取った頑固な汚れを、確実に落とすことは、困難視される。殊に、これらの薬液の採用では、おしぼりの隅及び／又は縫目に付着した、汚れを落とすには、充分とは考えられない。
【０００３】
一方、おしぼりの白さ及び洗浄効果を確保する文献として、硫酸アルミニウム、及びその複塩からなる群から選択される少なくとも一種のアルミニウム化合物よりなるおしぼり洗浄用白度向上剤を、すすぎ時に使用し、このおしぼりの仕上がり白度を向上させること、排水の中和の軽減化を図る文献として（特開２００４−２７７６２８の「おしぼり洗浄用白度向上剤及びおしぼりの洗浄方法」［文献４］）がある。しかし、この発明は、実施例の［００１７］において、すすぎ工程を、三回することを必要とするので、作業の煩雑化を招来する。原則として、酸性処理であり、頑固な汚れを、確実に落とすには、さらなる改良の余地が考えられる。そして、また、ミョウバン類を使用し、殺菌及びスッキリ感を醸成するものであるが、無害である反面、その効果は、必ずしも、十分とは考えられない。
【０００４】
【特許文献１】特許第３１６３０４１号
【特許文献２】特開２００１−２５９５４６
【特許文献３】特開平１０−３３６４２
【特許文献４】特開２００４−２７７６２８
【発明の開示】
【発明が解決しようとする課題】
【０００５】
前述した文献１〜文献３の発明は、おしぼりの通常の汚れを落とし、殺菌するには十分と考えられる。しかし、おしぼりの汚れであっても、例えば、テーブル、又はコンロ、天板等を、拭取った頑固な汚れの場合には、確実に落とすことは、困難視される。殊に、この頑固な汚れが、おしぼりの隅及び／又は縫目に付着した、汚れを落とすには、充分とは考えられない。
【０００６】
また、文献４の発明は、明細書の実施例の［００１７］において、すすぎ工程を、三回することを必要とするので、作業の煩雑化を招来する。また、ミョウバン類を使用し、殺菌及びスッキリ感を醸成するものであるが、無害である反面、その効果は、必ずしも、十分とは考えられない。
【課題を解決するための手段】
【０００７】
請求項１の発明は、おしぼりの汚れであっても、例えば、テーブル、又はコンロ、天板等を、拭取った頑固な汚れ（油・肉汁・調味量等の汚れ、場合により、焼け跡）の場合において、この汚れを、オゾンと塩化マグネシウムを添加した水で、すすぎ洗いすることで、確実に落とすこと、これと同時に、殺菌し、真に清潔なおしぼりを提供する。また請求項１の発明は、オゾンと塩化マグネシウムの易溶性を介して、殺菌と漂白効果が期待できる混合溶液を生成し、目的とする、白さが映えるおしぼりの洗浄殺菌方法を提供することを意図する。さらに請求項１の発明は、オゾンと塩化マグネシウムを添加した水での洗浄効果及び／又は漂白効果を利用することで、洗剤の使用量を、略１／５程度軽減できる効果を達成でき、かつ環境に役立つおしぼりの洗浄殺菌方法を提供することを意図する。
【０００８】
請求項１は、おしぼりの洗浄殺菌方法は、次の工程で、構成する。
１）  次亜塩素酸ソーダを添加した水で、略３分間、洗浄する。
２）  非イオン系洗剤を添加した温水で、略１０分間、洗浄するが、この温水は、略６０℃とする。
３）  水で、略３分間、すずきをする。
４）  オゾンと塩化マグネシウムを添加した水で、略３分間、すずきをする。
５）  温風乾燥する。
【０００９】
請求項２の発明は、請求項１の目的を達成すること、この目的を達成するに、最適な、配合比を提供することを意図する。
【００１０】
請求項２は、請求項１に記載のおしぼりの洗浄殺菌方法であって、前記工程における配合比を、下記のように構成する。
１）  前記次亜塩素酸ソーダを添加した水は、４５０ｌ（リットル）の水に５００ｃｃの次亜塩素酸ソーダを添加する。
２）  非イオン系洗剤を添加した温水は、４５０ｌ（リットル）の水に５００ｃｃの非イオン系洗剤を添加する。
３）  オゾンと塩化マグネシウムを添加した水は、水５００ｃｃの水にオゾン７５ｃｃと塩化マグネシウム７５ｃｃを添加する。
【００１１】
請求項３の発明は、おしぼりの汚れであっても、例えば、テーブル、又はコンロ、天板等を、拭取った頑固な汚れ（油・肉汁・調味量等の汚れ、場合により、焼け跡）の場合において、この汚れを、オゾンと塩化マグネシウムを添加した水で、噴霧することで、確実に落とすこと、これと同時に、殺菌し、真に清潔なおしぼりを提供する。また請求項３の発明は、オゾンと塩化マグネシウムの易溶性と、噴霧手段という簡易な方法を介して、殺菌と漂白効果が期待できる混合溶液を生成し、目的とする、白さが映えるおしぼりの洗浄殺菌方法を提供することを意図する。さらに請求項３の発明は、オゾンと塩化マグネシウムを添加した水を、噴霧することで、洗浄効果及び／又は漂白効果を達成し、洗剤の使用量を、略１／５程度軽減できる効果を達成でき、かつ環境に役立つおしぼりの洗浄殺菌方法を提供することを意図する。
【００１２】
請求項３は、おしぼりの洗浄殺菌方法は、次の工程で、構成する。
１）  次亜塩素酸ソーダを添加した水で、略３分間、洗浄する。
２）  非イオン系洗剤を添加した温水で、略１０分間、洗浄するが、この温水は、略６０℃とする。
３）  水で、略３分間、すずきをする。
４）  オゾンと塩化マグネシウムを、噴霧する。
５）  温風乾燥する。
【００１３】
請求項４の発明は、請求項３の目的を達成すること、この目的を達成するに、最適な、配合比を提供することを意図する。
【００１４】
請求項４は、請求項３に記載のおしぼりの洗浄殺菌方法であって、前記工程における配合比を、下記のように構成する。
１）  前記次亜塩素酸ソーダを添加した水は、４５０ｌ（リットル）の水に５００ｃｃの次亜塩素酸ソーダを添加する。
２）  非イオン系洗剤を添加した温水は、４５０ｌ（リットル）の水に５００ｃｃの非イオン系洗剤を添加する。
３）  オゾンと塩化マグネシウムを添加した水は、水５００ｃｃの水にオゾン７５ｃｃと塩化マグネシウム７５ｃｃを混合する。
【００１５】
請求項５の発明は、請求項３又は請求項４の目的を達成すること、この目的を達成するに、最適な、噴霧工程の一例を提供することを意図する。
【００１６】
請求項５は、請求項３又は請求項４に記載のおしぼりの洗浄殺菌方法であって、
請求項３又は請求項４に記載のおしぼりの洗浄殺菌方法であって、
前記噴霧は、コンベアで、おしぼりを搬送中に行なうことを特徴としたおしぼりの洗浄殺菌方法である。
【発明の効果】
【００１７】
請求項１の発明は、おしぼりの洗浄殺菌方法は、次の工程で、構成する。
１）  次亜塩素酸ソーダを添加した水で、略３分間、洗浄する。
２）  非イオン系洗剤を添加した温水で、略１０分間、洗浄するが、温水は、略６０℃とする。
３）  水で、略３分間、すずきをする。
４）  オゾンと塩化マグネシウムを添加した水で、略３分間、すずきをする。
５）  温風乾燥する。
【００１８】
従って、請求項１は、おしぼりの汚れであっても、例えば、テーブル、又はコンロ、天板等を、拭取った頑固な汚れ（油・肉汁・調味量等の汚れ、場合により、焼け跡）の場合において、この汚れを、オゾンと塩化マグネシウムを添加した水で、すすぎ洗いすることで、確実に落とすことができる、これと同時に、殺菌し、真に清潔なおしぼりを提供できる。また請求項１は、オゾンと塩化マグネシウムの易溶性を介して、殺菌と漂白効果が期待できる混合溶液を生成し、目的とする、白さが映えるおしぼりの洗浄殺菌方法を提供できる特徴がある。さらに請求項１の発明は、オゾンと塩化マグネシウムを添加した水での洗浄効果及び／又は漂白効果を利用することで、洗剤の使用量を、略１／５程度軽減できる効果を達成でき、かつ環境に役立つおしぼりの洗浄殺菌方法を提供できる実益を有する。
【００１９】
請求項２の発明は、請求項１に記載のおしぼりの洗浄殺菌方法であって、工程における配合比を、下記のように構成する。
１）  次亜塩素酸ソーダを添加した水は、４５０ｌ（リットル）の水に５００ｃｃの次亜塩素酸ソーダを添加する。
２）  非イオン系洗剤を添加した温水は、４５０ｌ（リットル）の水に５００ｃｃの非イオン系洗剤を添加する。
３）  オゾンと塩化マグネシウムを添加した水は、水５００ｃｃの水にオゾン７５ｃｃと塩化マグネシウム７５ｃｃを添加する。
【００２０】
従って、請求項２は、請求項１の目的を達成できること、この目的を達成するに、最適な、配合比を提供できること等の特徴を有する。
【００２１】
請求項３の発明は、おしぼりの洗浄殺菌方法は、次の工程で、構成する。
１）  次亜塩素酸ソーダを添加した水で、略３分間、洗浄する。
２）  非イオン系洗剤を添加した温水で、略１０分間、洗浄するが、温水は、略６０℃とする。
３）  水で、略３分間、すずきをする。
４）  オゾンと塩化マグネシウムを、噴霧する。
５）  温風乾燥する。
【００２２】
従って、請求項３は、おしぼりの汚れであっても、例えば、テーブル、又はコンロ、天板等を、拭取った頑固な汚れ（油・肉汁・調味量等の汚れ、場合により、焼け跡）の場合において、この汚れを、オゾンと塩化マグネシウムを添加した水で、噴霧することで、確実に落とすこができる、これと同時に、殺菌し、真に清潔なおしぼりを提供できる。また請求項３は、オゾンと塩化マグネシウムの易溶性と、噴霧手段という簡易な方法を介して、殺菌と漂白効果が期待できる混合溶液を生成し、目的とする、白さが映えるおしぼりの洗浄殺菌方法を提供できる特徴がある。さらに請求項３は、オゾンと塩化マグネシウムを添加した水を、噴霧することで、洗浄効果及び／又は漂白効果を達成し、洗剤の使用量を、略１／５程度軽減できる効果を達成でき、かつ環境に役立つおしぼりの洗浄殺菌方法を提供できる実益がある。
【００２３】
請求項４の発明は、請求項３に記載のおしぼりの洗浄殺菌方法であって、工程における配合比を、下記のように構成する。
１）  次亜塩素酸ソーダを添加した水は、４５０ｌ（リットル）の水に５００ｃｃの次亜塩素酸ソーダを添加する。
２）  非イオン系洗剤を添加した温水は、４５０ｌ（リットル）の水に５００ｃｃの非イオン系洗剤を添加する。
３）  オゾンと塩化マグネシウムを添加した水は、水５００ｃｃの水にオゾン７５ｃｃと塩化マグネシウム７５ｃｃを混合する。
【００２４】
従って、請求項４は、請求項３の目的を達成できること、この目的を達成するに、最適な、配合比を提供できること等の特徴を有する。
【００２５】
請求項５の発明は、請求項３又は請求項４に記載のおしぼりの洗浄殺菌方法であって、
請求項３又は請求項４に記載のおしぼりの洗浄殺菌方法であって、
噴霧は、コンベアで、おしぼりを搬送中に行なうことを特徴としたおしぼりの洗浄殺菌方法である。
【００２６】
従って、請求項５は、請求項３又は請求項４の目的を達成できること、この目的を達成するに、最適な、噴霧工程の一例を提供できること等の特徴を有する。
【発明を実施するための最良の形態】
【００２７】
本発明の一例を説明する。
【００２８】
最初に、第一実施例を図１−１〜図１−６を基に説明する。
【００２９】
第一は、予洗であり、洗濯槽１に充填した４５０ｌ（リットル）の水に、５００ｃｃの次亜塩素酸ソーダを添加した水溶液２に、おしぼり４を、略４，０００本収容し、撹拌しながら予備洗浄する。この予備洗浄時間は、略３分とする。この水溶液２の温度は、常温とする（図１−１参照）。
【００３０】
第二は、本洗であり、洗濯槽１に充填した４５０ｌ（リットル）の水に、５００ｃｃの非イオン系洗剤を添加した水溶液２００に、おしぼり４を、略４，０００本収容し、撹拌しながら予備洗浄する。この本洗浄時間は、略１０分とする。この水溶液２００の温度は、略６０℃とする（図１−２参照）。
【００３１】
第三は、第一すすぎであり、洗濯槽１に充填した４５０ｌ（リットル）の水で、おしぼり４を、略４，０００本収容し、撹拌しながらすすぎ洗いをする。この第一すすぎは、略３分とする。このすすぎの水温は、常温とする（図１−３参照）。
【００３２】
第四は、第二すすぎであり、洗濯槽１に充填した４５０ｌ（リットル）の水に、オゾン７５ｃｃと塩化マグネシウム７５ｃｃを添加した水溶液２０１に、おしぼり４を、略４，０００本収容し、撹拌しながらすすぎ洗いをする。この第二すすぎは、略３分とする。このすすぎの水温は、常温とする（図１−４参照）。
【００３３】
第五は、脱水機５、乾燥機６を利用して、後処理を施すことで、全ての洗浄殺菌作業が完了する（図１−５〜図１−６参照）。
【００３４】
次に、第二実施例を図２−１〜図２−６を基に説明する。
【００３５】
第一は、予洗であり、洗濯槽１に充填した４５０ｌ（リットル）の水に、５００ｃｃの次亜塩素酸ソーダを添加した水溶液２に、おしぼり４を、略４，０００本収容し、撹拌しながら予備洗浄する。この予備洗浄時間は、略３分とする。この水溶液２の温度は、常温とする（図２−１参照）。
【００３６】
第二は、本洗であり、洗濯槽１に充填した４５０ｌ（リットル）の水に、５００ｃｃの非イオン系洗剤を添加した水溶液２００に、おしぼり４を、略４，０００本収容し、撹拌しながら予備洗浄する。この本洗浄時間は、略１０分とする。この水溶液２００の温度は、略６０℃とする（図２−２参照）。
【００３７】
第三は、すすぎであり、洗濯槽１に充填した４５０ｌ（リットル）の水で、おしぼり４を、略４，０００本収容し、撹拌しながらすすぎ洗いをする。この第一すすぎは、略１０分とする。このすすぎの水温は、常温とする（図２−３参照）。
【００３８】
第四は、コンベヤ８に搬送過程で、４５０ｌ（リットル）の水に、オゾン７５ｃｃと塩化マグネシウム７５ｃｃを添加した水溶液２０１を、噴霧器９を介して、霧化状態とし、おしぼり４に向って、噴霧し、殺菌及び／又は汚れ落としをする。この場合、おしぼり４は、展開した状態でコンベア８で搬送されるため、噴霧された水溶液２０１が満遍なく行き渡り、殺菌及び／又は汚れ落としに役立つ特徴がある。尚、図示しないが、第二すすぎをすることもあり得る。尚、図示しないが、オゾンを発生させるために、ガラス管に１本、又は数本の封印した水銀管を設け、このガラス管内にオゾンガスを送風することで、均等で、かつ落着いたオゾンガス（やわらかい状態のオゾンガス）を提供できる（図２−４参照）。
【００３９】
第五は、脱水機５、乾燥機６を利用して、後処理を施すことで、全ての洗浄殺菌作業が完了する（前述の例と同じ）。
【００４０】
そして、図３は、洗浄殺菌前で、汚れたおしぼり４を、展開して示しているが、所々に、汚れ４００があり、殊に、隅部４０１、縫合部４０２に付着した汚れ４００を、落とすには、極めて困難である。その状況が、図３、図４に示した従来の洗浄殺菌方法で処理した（仕上げた）おしぼり４であり、まだ、隅部４０１、縫合部４０２に汚れ４００が残っている。これに対して、同じ汚れのおしぼり４を、本発明の洗浄殺菌方法で処理した場合では、図５−１に展開して示したおしぼり４の如く、略全部落ちており、その白さが際立った仕上がりである。また、図５−２は、最終的に、おしぼり４を仕上げた状態を示している。前述の如く、その白さが際立った仕上がり、清潔感が伝わってくる。
【図面の簡単な説明】
【００４１】
【図１−１】第一実施例における予洗を示した模式図
【図１−２】第一実施例における本洗を示した模式図
【図１−３】第一実施例における第一すすぎを示した模式図
【図１−４】第一実施例における第二すすぎを示した模式図
【図１−５】第一実施例における脱水機の使用の一例を示した模式図
【図１−６】第一実施例における乾燥機を示した模式図
【図２−１】第二実施例における予洗を示した模式図
【図２−２】第二実施例における本洗を示した模式図
【図２−３】第二実施例における第一すすぎを示した模式図
【図２−４】第二実施例におけるコンベアの搬送過程で、水溶液を噴霧器を介して展開したおしぼりに向かって噴霧した一例を示した模式図
【図２−５】第二実施例における脱水機の使用の一例を示した模式図
【図２−６】第二実施例における乾燥機を示した模式図
【図３】洗浄殺菌前で、汚れたおしぼりを、展開して示した模式図
【図４】従来の洗浄殺菌方法で処理し、仕上げたおしぼりを示した模式図
【図５−１】本発明の洗浄殺菌方法で処理し、仕上げたおしぼりを展開して示した模式図
【図５−２】本発明の洗浄殺菌方法で処理し、仕上げたおしぼりを示した模式図
【符号の説明】
【００４２】
１          洗濯槽
２          水溶液
２００      水溶液
２０１      水溶液
４          おしぼり
４００      汚れ
４０１      隅部
４０２      縫合部
５          脱水機
６          乾燥機
８          コンベヤ
９          噴霧器
【図１−１】
2010022606.tif 000003
【図１−２】
2010022606.tif 000004
【図１−３】
2010022606.tif 000005
【図１−４】
2010022606.tif 000006
【図１−５】
2010022606.tif 000007
【図１−６】
2010022606.tif 000008
【図２−１】
2010022606.tif 000009
【図２−２】
2010022606.tif 000010
【図２−３】
2010022606.tif 000011
【図２−４】
2010022606.tif 000012
【図２−５】
2010022606.tif 000013
【図２−６】
2010022606.tif 000014
【図３】
2010022606.tif 000015
【図４】
2010022606.tif 000016
【図５−１】
2010022606.tif 000017
【図５−２】
2010022606.tif 000018